(57)【要約】【課題】  ボウリング用ボール載置板を、低コストで、かつ見栄えよく形成できるよう設けた。【解決手段】  ボウリングのボール載置板本体４上面の左右へ、同一大きさ、かつ同一形状の複数台板６を、かつ板本体４の外縁へ柵５を、それぞれ設け、隣合う台板６の対向する両外側面と、これ等両外側面と対向する柵部分内面との三点で、板本体４上へ載置されたボール７の下部外壁面を係止可能に形成した。【選択図】  図１
2005323820.tif 000002
【特許請求の範囲】
【請求項１】
ボウリングのボール載置板３において、板本体４上面左右へ複数の同一大きさ、かつ同一形状の台板６を、かつ板本体外縁へ柵５を、それぞれ設け、隣合う台板６の対向する両側面部分をほぼハの字形状に対向させてこれ等両外側面部分と、これ等両外側面部分間と対向する柵内面部分との三点で係止させて、板本体４上へボール７を転動不能に載置させることが可能に形成した
ことを特徴とするボウリングのボール載置板。
【請求項２】
上記台板６を、板本体前後方向中間部に左右へ連続ないし等間隔に並立させると共に、柵５を板本体４外周から平面四角枠状に起立させ、該柵内の左右両端の前後両位置にあっては、柵隅部5cを形成する左右および前後の両柵部分内面と、左右両端台板６の上記隅部と対向する外壁面との三点で係止させて、板本体４上へボール７を転動不能に載置させることが可能に形成した
ことをを特徴とする請求項１記載のボウリングのボール載置板。
【請求項３】
上記柵５を板本体４外周から平面四角枠状に起立させ、該柵内の前後両部へ複数の台板６を連続ないし等間隔に並設および縦設させ、上記柵内の各隅部5c内方位置にあっては、隅部を形成する左右および前後の両柵部分内面と、左右両端前後の台板６の上記隅部と対向する外壁面6bとに、又前後左右に隣合う四箇の台板間にあっては、これ等台板が囲む空間に面する各台板の外側面部分に係止させて板本体４上へボール７を転動不能に載置させることが可能に形成した
ことを特徴とする、請求項１記載のボウリングのボール載置板。
【請求項４】
上記柵５を、平面凹字形状として板本体４上面の前部および左右両側部から起立させると共に、該柵の左右両部後端間の板本体後部上面へ台板６を連続ないし等間隔に並立させ、柵左右両端前部の柵隅部5cを形成する左右および前方の両柵部分内面と、左右両端台板の上記隅部と対向する外側面部分とに係止させて、板本体４上へボール７を転動不能に載置させることが可能に形成した
ことを特徴とする、請求項１記載のボウリングのボール載置板。
【発明の詳細な説明】
【技術分野】
【０００１】
本発明は低く設けた小形ロッカー等の上面へ固定等する、ボウリングのボール載置板に関する。
【背景技術】
【０００２】
ボウリングのボールは相当の重量を有し携帯に適しないため、普通一般の遊技者はボウリング場備付けのボールを使用するが、ボールは球形で転がるため、使用および収納に便利なよう、低く設けたロッカー上面へボール載置板を固定し、その載置板上へ並べていることが多い。その載置板は、同一大きさに設けた四角枠を左右方向へ複数並べて各枠内へボール底部を嵌合させたり（特許文献１）、又板上に同一大きさのリング状台を複数固定させて、それ等各台と台を取付けた板とが形成する凹部内へボール底部を嵌合させたり（特許文献２）している。
【特許文献１】登録意匠１００２３９８号公報
【特許文献２】登録意匠１０８６２５４号公報
【発明の開示】
【発明が解決しようとする課題】
【０００３】
従来は１個のボール載置部、ないしボール底部の嵌合部を、１個の枠内、ないし１個のリング内で形成していたからコスト高となり、又外見も板上に複数のボールが並んでいるだけであるから不充分で改良余地を残すものであった。
【０００４】
本発明は、載置板上左右へ複数の台板を並設すると共に台板外縁へ柵を設けて、隣合う台板の両外壁面と、これ等両外壁面間と対向する柵内面部分とをボール外壁面へ係止させて転動不能にボールを載置板上へ載置させることが不能としたものであり、このようにすることで、そのボール載置板を廉価に製作できると共に、外見を上記柵の付設により向上できるよう設けたものである。
【課題を解決するための手段】
【０００５】
第１の手段としてボウリングのボール載置板３において、板本体４上面左右へ複数の同一大きさ、かつ同一形状の台板６を、かつ板本体外縁へ柵５を、それぞれ設け、隣合う台板６の対向する両側面部分をほぼハの字形状に対向させてこれ等両外側面部分と、これ等両外側面部分間と対向する柵内面部分との三点で係止させて、板本体４上へボール７を転動不能に載置させることが可能に形成した。
【０００６】
第２の手段として、上記第１の手段を有すると共に上記台板６を、板本体前後方向中間部に左右へ連続ないし等間隔に並立させると共に、柵５を板本体４外周から平面四角枠状に起立させ、該柵内の左右両端の前後両位置にあっては、柵隅部5cを形成する左右および前後の両柵部分内面と、左右両端台板６の上記隅部と対向する外壁面との三点で係止させて、板本体４上へボール７を転動不能に載置させることが可能に形成した。
【０００７】
第３の手段として、上記第１の手段を有すると共に上記柵５を板本体４外周から平面四角枠状に起立させ、該柵内の前後両部へ複数の台板６を連続ないし等間隔に並設および縦設させ、上記柵内の各隅部5c内方位置にあっては、隅部を形成する左右および前後の両柵部分内面と、左右両端前後の台板６の上記隅部と対向する外壁面6bとに、又前後左右に隣合う四箇の台板間にあっては、これ等台板が囲む空間に面する各台板の外側面部分に係止させて板本体４上へボール７を転動不能に載置させることが可能に形成した。
【０００８】
第４の手段として、上記第１の手段を有すると共に上記柵５を、平面凹字形状として板本体４上面の前部および左右両側部から起立させると共に、該柵の左右両部後端間の板本体後部上面へ台板６を連続ないし等間隔に並立させ、柵左右両端前部の柵隅部5cを形成する左右および前方の両柵部分内面と、左右両端台板の上記隅部と対向する外側面部分とに係止させて、板本体４上へボール７を転動不能に載置させることが可能に形成した。
【発明の効果】
【０００９】
請求項１記載のようにすることで、ボール載置板は、予め別形成しておいた、同一大きさ同一形状の複数台板６を板本体４上へ左右に並べて固定し、又板本体外縁へ予め別形成しておいた柵５を取付ければよく、よってコストを低廉とし、かつボール載置板の外見も向上でき、更に柵５へボールが接していることで、そのボール載置板を取付けた低ロッカー上等からのボール転落防止の安心感をボウリング遊技者に持たせることが出来る。    
【００１０】
請求項２のようにすることで、板本体４の前後方向中間部に横設した複数台板の前後と、板本体外周から起立する柵５との間へ、前後二列にボール７を横設でき、前方側のボールはボール載置板の前側から、又後方側のボールはボール載置板の後方側からボールを取出し、又収納でき、よって重いボールの使用、収納が容易である。
【００１１】
請求項３のようにすることで、板本体４上へ前後方向三列にボールを並べることが出来る。
【００１２】
請求項４のようにすることで、ボウリング場の壁面前方へボール載置板をおく場合のように、ボール載置板の後方側へ立入り出来ず、前方側からだけボール取出し、収納をする場合に便利である。
【発明を実施するための最良の形態】
【００１３】
まず、図１から図３が示す第１実施形態について説明すると、１は低く設けたボール載置板取付け用の小形ロッカーで、該ロッカーは左右方向において三等分された収納室を有し、各収納室前面に扉２を開閉自在に付設している。
【００１４】
上記ロッカー上面へはボール載置板３を固定させている。該載置板は、板本体４と、該板本体外周部上面から起立された。平面四角枠状の柵５と、該柵が囲む板本体部分の前後方向中間に左右方向へ横設された同一大きさ、同一形状の台板６とで形成されている。柵５は台板６よりも高く設けるとよい。
【００１５】
上記板本体４は、ロッカー１上面と同一大きさ、同一形状に形成しており、柵５は、四本のパイプを、四箇のエルボーで連結して左右方向へ長い平面長方形状の枠5aを形成し、該枠を板本体４外周部から起立させた複数の脚柱5b上端で握持させている。該柵は光沢を有する金属製とすることが望ましい。台板６は、上記柵５が囲む板本体４部分内の前後方向中間に左右方向へ並立させて付設させる。各台板は図示例において正方形状とし、各角部6aを左右および前後方向へ位置させ、各隣合う台板６の前方側の対向する外側面6bは上前方からみてハ字形状に、又後方側の外側面は逆ハ字形状に向い合うよう設けており、左右外端台板６の前後外方の外側面6bは、柵５の前後隅部5cと対向するよう設けている。
【００１６】
上記正逆ハ字形状に向合う台板の両外側面と柵５との間、および上記柵の隅部5cと該隅部と対向する、左右外端の台板前後外側面との間には、図が示すようにボール７を板本体４上へ載置させて収納させることが出来る。該ボール収納状態において、柵の隅部部分にあっては、その隅部を形成する左右方向柵部分の左右外方部分の内面と、前後方向柵部分の前後外方部分の内面と、隅部と対向する台板外側面部分中間との三点においてボールの下方外壁面が接し、又それ等左右両端間の複数ボールは、上記正逆ハ字形状に向い合う台板外側面のそれぞれ、およびこれ等両外側面間の中間と向合う前後柵部分内面との三点においてボールの下部壁面が係止されるものである。
【００１７】
以下他の実施形態について説明するが、第１実施形態と同一部分については同一符号を付することで説明を省略する。
【００１８】
図４から図６は第２実施形態を示す。該実施形態の特徴は、柵５が囲む板本体部分へ、前後二列の台板列を横設したことであり、それ等両列の各台板は、それぞれ前後へ縦設されている。図４が示すように左右側方の四箇の台板と、左右両端を除く中間部四箇の台板とは、それぞれ正方形状の空間を形成し、それ等両空間内に、ボール７を板本体上へ載置させて収納する。該ボール収納時、上記両空間に面する各台板外側面の中間がボールの外壁面下部を支持する。又上記前後二列台板間の左右外方にあっては、前後両列外端両台板の向い合う両外側面部分がハ字形状に対向してその外側面中間がボール支持部を形成し、かつこれ等両外側面部分間と対向する縦方向柵内面部分がボール係止点を形成する。
【００１９】
図７から図９は、第３実施形態を示す。該実施形態のボール載置板３は、主としてボウリング場の壁前面等へ接して設置すると便利なよう設けたもので、既述第１実施形態のロッカー１およびボール載置板３を前後方向において二等分した形状としたものである。
【００２０】
即ち、柵５は、平面凹字形状として板本体４の前部および左右両側部から起立させており、又柵左右両部後端間の板本体後部へ二等辺直角三角形状とした複数の台板６を左右へ並立させて設けている。各三角形の台板は、各底辺を板本体後縁側に位置させ、頂角6cを前方へ向けており、隣合う各台板の対向する外側面6bを平面ハ字形状とし、左右両端の台板６が有する外方側の外側面は、柵左右両端前部の両隅部5cと対向させている。台板６の左右両外側面と、柵５内面とが形成するボール係止点は、第１実施形態ボール載置板の前半部と同様に設ければよい。
【００２１】
図１０から図１２は第４実施形態を示すもので、該実施形態は、第１実施形態における、正方形状の台板６を半球面形状としたもので、第２実施形態の台板６を、このような半球面状の台板６にすることが出来、又第３実施形態の台板を、第４実施形態台板を更に前後に二等分した形状とすることが出来る。
【００２２】
図１３から図１５は第５実施形態を示すもので、第３実施形態台板を、半円板状の台板に代えたものである。該半円板状の台板を円板状の台板とすれば、第１、第２実施形態の台板に代えることが出来る。
【００２３】
既述各実施形態から理解されるように、台板６の平面形状は、各ボールとの係止点を形成可能な範囲で種々変更できるが、成形の容易性、又資材の有効利用の点からは、第１、第２実施形態が示すような平面正方形状、又第３実施形態の場合は、二等辺直角三角形状であることが望ましい。
【図面の簡単な説明】
【００２４】
【図１】低く設けたロッカー上面へ、固定させた状態で示す、本発明ボール載置板の平面図である。
【図２】図１の正面図である。
【図３】図１の側面図である。
【図４】第２実施形態で示す、ロッカー上面へ固定のボール載置板の平面図である。
【図５】図４の正面図である。
【図６】図４の側面図である。
【図７】第３実施形態で示す、ロッカー上面へ固定のボール載置板の平面図である。
【図８】図７の正面図である。
【図９】図７の側面図である。
【図１０】第４実施形態で示す、ロッカー上面へ固定のボール載置板の平面図である。
【図１１】図１０の正面図である。
【図１２】図１０の側面図である。
【図１３】第５実施形態で示す、ロッカー上面へ固定のボール載置板の平面図である。
【図１４】図１３の正面図である。
【図１５】図１３の側面図である。
【符号の説明】
【００２５】
１  ロッカー                        ２  扉
３  ボール載置板                    ４  板本体
５  柵                              5a  枠
5b  脚注                            5c  隅部
６  台板                            6a  角部
6b  外側面                          6c  頂角
７  ボール
【図１】
2005323820.tif 000003
【図２】
2005323820.tif 000004
【図３】
2005323820.tif 000005
【図４】
2005323820.tif 000006
【図５】
2005323820.tif 000007
【図６】
2005323820.tif 000008
【図７】
2005323820.tif 000009
【図８】
2005323820.tif 000010
【図９】
2005323820.tif 000011
【図１０】
2005323820.tif 000012
【図１１】
2005323820.tif 000013
【図１２】
2005323820.tif 000014
【図１３】
2005323820.tif 000015
【図１４】
2005323820.tif 000016
【図１５】
2005323820.tif 000017